(57)【要約】【課題】センサのサイズ及び測定装置の厚み方向のサイズの増大を抑える。【解決手段】試料内の測定対象成分を測定する測定装置であって、試料を付着させるセンサの、複数の電極パッドが形成された平面を含む挿入部分が挿入される挿入口と、挿入部分の挿入口への挿入状態において、複数の電極パッドのいずれかと接触する複数の導体部とを含み、複数の導体部が、センサの挿入方向に延びる第１の導体部群と、センサの挿入方向と交わる方向に延びる第２の導体部群とを含み、第１の導体部群は複数の電極パッドのうちの第１の導体部群と対応する電極パッドと接触し、第２の導体部群は複数の電極パッドのうちの第１の導体部群と対応する電極パッド以外の電極パッドと接触する。【選択図】図６
2019215343.tif 000002
【特許請求の範囲】
【請求項１】
センサに付着した試料内の測定対象成分を測定する測定装置であって、
前記センサの、複数の電極パッドが形成された平面を含む挿入部分を前記測定装置内に挿入するために使用される挿入口と、
前記挿入部分が前記測定装置内に挿入された状態を示す挿入状態において、前記複数の電極パッドと接触する複数の導体部とを含み、
前記複数の導体部が、前記挿入部分が前記挿入口を通って前記測定装置内に挿入されるときの前記センサの方向を示す前記センサの挿入方向に延びる第１の導体部群と、前記センサの挿入方向と交わる方向に延びる第２の導体部群とを含み、前記第１の導体部群は、前記複数の電極パッドのうち、前記第１の導体部群と対応する電極パッドと接触し、前記第２の導体部群は、前記複数の電極パッドのうち、前記第１の導体部群と対応する電極パッド以外の電極パッドと接触する、ことを特徴とする測定装置。
【請求項２】
前記複数の導体部のそれぞれは一端と他端とを有し、前記一端は前記測定装置内で支持され、前記他端は前記挿入状態において前記挿入部分の前記平面に形成された前記複数の電極パッドと接触可能であり、
前記挿入状態において、前記複数の導体部のそれぞれは、前記平面の法線方向において前記平面から最も離れた部分を有し、前記平面と前記最も離れた部分との間の前記法線方向における距離は所定距離より短い
請求項１に記載の測定装置。
【請求項３】
前記挿入状態において、前記平面の水平方向における前記複数の導体部のそれぞれの表面の高さは同じであり、
前記最も離れた部分と前記表面の間の前記平面の法線方向における距離は前記複数の導体部の夫々の厚みの１．５倍以内である
請求項２に記載の測定装置。
【請求項４】
前記挿入状態において、前記複数の導体部のそれぞれは、前記挿入部分に含まれた前記平面と平行な平面上に配置されている
請求項１に記載の測定装置。
【請求項５】
前記第２の導体部群は、前記複数の電極パッドのうち、前記挿入状態において前記第１の導体部群と接触する前記電極パッド以外の電極パッドと接触する
請求項１から４のいずれか１項に記載の測定装置。
【請求項６】
前記挿入状態において、前記第１の導体部群中の第１の導体部と、前記第２の導体部群中の第２の導体部とが、前記複数の電極パッドのうちの同一の電極パッドと接触しているか、又は前記複数の電極パッドのうちの異なる二つの電極パッドと接触しているかを判定する判定部
をさらに含む請求項１から５のいずれか１項に記載の測定装置。
【請求項７】
前記判定部は、前記第１の導体部と前記第２の導体部との間への電圧の印加によって電流の変化が起こるか否かを判定する
請求項６に記載の測定装置。
【請求項８】
前記挿入状態において、前記第２の導体部群中の二つの第２の導体部が、前記複数の電極パッドのうちの同一の電極パッドと接触しているか、又は前記複数の電極パッドのうちの異なる二つの電極パッドと接触しているかを判定する判定部
をさらに含む請求項１から５のいずれか１項に記載の測定装置。
【請求項９】
前記判定部は、前記二つの第２の導体部の間への電圧の印加によって電流の変化が起こるか否かを判定する
請求項８に記載の測定装置。
【請求項１０】
試料を付着させるセンサと、
前記試料内の測定対象成分を測定する測定装置とを備え、
前記測定装置は、
前記センサの、複数の電極パッドが形成された平面を含む挿入部分を前記測定装置内に挿入するために使用される挿入口と、
前記挿入部分が前記測定装置内に挿入された状態を示す挿入状態において、前記複数の電極パッドと接触する複数の導体部とを含み、
前記複数の導体部が、前記挿入部分が前記挿入口を通って前記測定装置内に挿入されるときの前記センサの方向を示す前記センサの挿入方向に延びる第１の導体部群と、前記センサの挿入方向と交わる方向に延びる第２の導体部群とを含み、前記第１の導体部群は、前記複数の電極パッドのうち、前記第１の導体部群と対応する電極パッドと接触し、前記第２の導体部群は、前記複数の電極パッドのうち、前記第１の導体部群と対応する電極パッド以外の電極パッドと接触する、
ことを特徴とする測定システム。
【請求項１１】
前記第２の導体部群に属する導体部の先端部が前記挿入方向に向けられている
請求項１から９のいずれか一項に記載の測定装置。
【請求項１２】
前記第２の導体部群は、前記挿入部分の挿入時に、前記複数の電極パッドと相互にこすれ合い、前記挿入部分が所定位置に達した場合に、前記第２の導体部群と対応する電極パッドと接触する状態で配置されている
請求項１から９，１１のいずれか一項に記載の測定装置。
【請求項１３】
前記複数の導体部の少なくとも一つが、その基端部と先端部との間において、前記挿入方向と交わるように下る中間部を有する
請求項１から９、１１、１２のいずれか一項に記載の測定装置。
【発明の詳細な説明】
【技術分野】
【０００１】
本発明は、測定装置、及び測定システムに関する。
【背景技術】
【０００２】
自己のグルコース値（血液中のグルコース濃度の値）を測定するための様々な測定装置が市販されている。例えば、グルコース値の測定装置として、血糖自己測定(ＳＭＢＧ：Self-Monitoring of Blood Glucose)を行うためのＳＭＢＧ装置が知られている。ＳＭＢＧ装置では、穿刺器具を用いて指先などから採取した血液を、測定装置に装着した試験片に点着（付着）させてグルコース値を測定する。
【０００３】
分析装置の第１受容部に挿入される第１装填部と、分析装置あるいは他の分析装置に設けられた第１受容部とは異なる第２受容部に挿入される第２装填部と、を備える試験片がある（例えば、特許文献１参照）。この試験片では、第１装填部に上に形成された一対の第１パッドと第２装填部上に形成された一対の第２パッドとが試験片の幅方向に配置されている。
【先行技術文献】
【特許文献】
【０００４】
【特許文献１】特開２０１３−０９２３８６号公報
【発明の概要】
【発明が解決しようとする課題】
【０００５】
１つの試験片を用いて複数の測定項目についての測定を可能にする等の理由により、試験片に実装される電極の数が増加する傾向にある。電極数の増加に伴い、各電極を測定装置や分析装置と電気的に接続させるパッドの数も増加する。従来技術のように、複数のパッドを試験片の幅方向に並べて配置すると、試験片のサイズが大きくなる。
【０００６】
しかしながら、管理の容易化や、製造コストの低減などの観点から、試験片のサイズは小型化される傾向にある。このため、電極数の増加に伴って試験片の幅方向のサイズが大きくなることは好ましくなかった。
【０００７】
本発明は、上記事情に鑑みなされたものであり、センサのサイズを抑えることができる測定装置を提供することを目的とする。
【課題を解決するための手段】
【０００８】
本発明の実施例の一つは、センサに付着した試料内の測定対象成分を測定する測定装置である。この測定装置は、前記センサの、複数の電極パッドが形成された平面を含む挿入部分が前記測定装置内に挿入された状態を示す挿入状態において、前記複数の電極パッドと接触する複数の導体部とを含み、
前記複数の導体部が、前記挿入部分が前記挿入口を通って前記測定装置内に挿入されるときの前記センサの方向を示す前記センサの挿入方向に延びる第１の導体部群と、前記センサの挿入方向と交わる方向に延びる第２の導体部群とを含み、前記センサの挿入方向に延びる第１の導体部群と、前記センサの挿入方向と交わる方向に延びる第２の導体部群とを含み、前記第１の導体部群は、前記複数の電極パッドのうち、前記第１の導体部群と対応する電極パッドと接触し、前記第２の導体部群は、前記複数の電極パッドのうち、前記第１の導体部群と対応する電極パッド以外の電極パッドと接触するように構成される。
【０００９】
実施例に係る測定装置において、複数の導体部は以下のように構成可能である。例えば、前記複数の導体部のそれぞれは一端と他端とを有し、前記一端は前記測定装置内で支持され、前記他端は前記挿入状態において前記挿入部分の前記平面に形成された前記複数の電極パッドと接触可能であり、前記挿入状態において、前記複数の導体部のそれぞれは、前記平面の法線方向において前記平面から最も離れた部分を有し、前記平面と前記最も離れた部分との間の前記法線方向における距離は所定距離より短い構成を採用してもよい。また、上記測定装置に関して、前記挿入状態において、前記平面の水平方向における前記複数の導体部のそれぞれの表面の高さは同じであり、前記最も離れた部分と前記表面の間の前記平面の法線方向における距離は前記複数の導体部の夫々の厚みの１．５倍以内である構成を採用してもよい。或いは、上記測定装置に関して、前記挿入状態において、前記複数の導体部のそれぞれは、前記挿入部分に含まれた前記平面と平行な平面上に配置されている構成を採用してもよい。
【００１０】
実施例に係る測定装置において、前記第２の導体部群は、前記複数の電極パッドのうち、前記挿入状態において前記第１の導体部群と接触する前記電極パッド以外の電極パッドと接触するように構成されるのが好ましい。
【００１１】
実施例に係る測定装置は、前記挿入状態において、前記第１の導体部群中の第１の導体部と、前記第２の導体部群中の第２の導体部とが、前記複数の電極パッドのうちの同一の電極パッドと接触しているか、前記複数の電極パッドのうちの異なる二つの電極パッドと接触しているかを判定する判定部をさらに含むように構成されてもよい。例えば、前記判定部は、前記第１の導体部と前記第２の導体部との間への電圧の印加によって電流の変化が起こるか否かを判定してもよい。
【００１２】
また、実施例に係る測定装置は、前記挿入状態において、前記第２の導体部群中の二つの第２の導体部が、前記複数の電極パッドのうちの同一の電極パッドと接触しているか、前記複数の電極パッドのうちの異なる二つの電極パッドと接触しているかを判定する判定部をさらに含むように構成されてもよい。例えば、前記判定部は、前記二つの第２の導体部の間への電圧の印加によって電流の変化が起こるか否かを判定してもよい。
【００１３】
本発明の他の実施例は、試料を付着させるセンサと、前記試料内の測定対象成分を測定する測定装置とを備え、前記測定装置は、前記センサの、複数の電極パッドが形成された平面を含む挿入部分を前記測定装置内に挿入するために使用される挿入口と、前記挿入部分が前記測定装置内に挿入された状態を示す挿入状態において、前記複数の電極パッドと接触する複数の導体部とを含み、前記複数の導体部が、前記挿入部分が前記挿入口を通って前記測定装置内に挿入されるときの前記センサの方向を示す前記センサの挿入方向に延びる第１の導体部群と、前記センサの挿入方向と交わる方向に延びる第２の導体部群とを含み、前記第１の導体部群は、前記複数の電極パッドのうち、前記第１の導体部群と対応する電極パッドと接触し、前記第２の導体部群は、前記複数の電極パッドのうち、前記第１の導体部群と対応する電極パッド以外の電極パッドと接触する、ことを特徴とする測定システムである。
【００１４】
また、実施例に係る測定装置及び測定システムに関して、前記第２の導体部群に属する導体部の先端部が前記挿入方向に向けられている構成が採用されてもよい。また、実施例に係る測定装置及び測定システムに関して、前記第２の導体部群は、前記挿入部分の挿入時に、前記複数の電極パッドと相互にこすれ合い、前記挿入部分が所定位置に達した場合に、前記第２の導体部群と対応する電極パッドと接触する状態で配置されている構成を採用してもよい。さらに、実施例に係る測定装置及び測定システムに関して、前記複数の導体部の少なくとも一つが、その基端部と先端部との間において、前記挿入方向と交わるように下る中間部を有する構成を採用してもよい。
【発明の効果】
【００１５】
本発明によれば、センサのサイズを抑えることが可能となる。
【図面の簡単な説明】
【００１６】
【図１】図１は、実施形態に係る測定システムの構成例を示す図である。
【図２】図２は、実施形態に係るセンサの一例を示す平面図である。
【図３】図３は、実施形態に係るセンサの一例を示す断面図である。
【図４】図４は、実施形態に係るセンサの一例を示す分解斜視図である。
【図５】図５は、センサの本体部を拡大して示す平面図である。
【図６】図６（Ａ）は、接続部を受容部と嵌合させた状態を模式的に示す平面図であり、図６（Ｂ）は、図６（Ａ）に示した接続部及び受容部の左側面（図６（Ａ）の下側）を模式的に示す側面図である。
【図７】図７は、図６（Ａ）の一点鎖線Ｂ−Ｂに沿った断面を示す。
【図８】図８は、測定装置の構成例を示す。
【図９】図９は、測定装置の動作例を示すフローチャートである。
【図１０】図１０は、測定装置の変形例１を示す。
【図１１】図１１は、測定装置の変形例２を示す。
【図１２】図１２（Ａ）及び図１２（Ｂ）は、実施形態２に係るセンサ及び測定装置の構成例を示す。
【図１３】図１３は、センサの仕様判定に係る処理例を示すフローチャートである。
【図１４】図１４は、実施形態２に係るセンサ及び測定装置の変形例を示す。
【図１５】図１５は、実施形態３における、接続部を受容部と嵌合させた状態を模式的に示す平面図である。
【図１６】図１６は、実施形態４におけるコネクタピンの説明図である。
【発明を実施するための形態】
【００１７】
以下、本発明の実施形態について図面を参照して説明する。以下の実施形態の構成は例示であり、本発明は以下の実施形態の構成に限定されない。
【００１８】
〔実施形態１〕
＜測定システムの概要＞
図１は、実施形態に係る測定システムの構成例を示す図である。測定システムは、センサ１及び測定装置２００を備える。測定装置２００は、センサ１を用いて電気化学的手法により試料内の測定対象成分を測定する。測定装置２００は、筐体２０２と、操作ボタン２０３と、表示パネル２０４と、段差部２０５と、センサ１の挿入口（スロットともいう）２０６とを備えている。
【００１９】
筐体２０２は、一例として、高さ方向（厚み方向：Ｚ方向）の寸法が、幅方向（Ｘ方向）及び奥行き方向（Ｙ方向）よりも小さい薄型の直方体状に形成されている。筐体２０２の上面２０２ａに、操作ボタン２０３及び表示パネル２０４が設けられている。但し、これらは、上面２０２ａ以外の面に設けられてもよい。段差部２０５は、筐体２０２の上面２０２ａの一部の高さを低くするように形成した上面２０５ａと、上面２０２ａと上面２０５ａとを接続するＹＺ平面である側面２０５ｂと、上面２０２ａと上面２０５ａとを接続するＸＺ平面である側面２０５ｃとからなる。側面２０５ｃの下部には、センサ１の挿入口２０６が形成されており、筐体２０２の内部には、挿入口２０６から挿入されるセンサ１の一端１ａ側の端部と嵌合する受容部２０７（メス型コネクタ）が設けられている。
【００２０】
センサ１は、試料（検体）内の測定対象成分（特定物質）の測定に用いられる。センサ１は、一端１ａと他端１ｂとを有するとともに、上面１ｃと下面１ｄとを有する帯状の板
状に形成されており、長手方向と幅方向とを有する。センサ１の一端１ａを、挿入口２０６を通過させて測定装置２００内に挿入することで、センサ１が測定装置２００に接続される。このとき、例えば、センサ１の下面１ｄを段差部２０５の上面２０５ａに接触させるとともに、センサ１の左側面を側面２０５ｂに接触させながらセンサ１を測定装置２００の長手方向（Ｙ方向）に相対的に移動させる。すると、センサ１の一端１ａ側の端部が挿入口２０６を通って測定装置２００の内部に挿入され、受容部２０７と嵌合する。このように、センサ１の一端１ａ側の端部は、受容部２０７との接続部１４（オス型コネクタ：図２参照）として作用する。接続部１４は、測定装置２００の内部に挿入される挿入部分に相当する。段差部２０５は、センサ１の一端１ａ側（接続部１４）を好適に測定装置２００の挿入口２０６へ案内するガイドとして使用される。受容部２０７と接続部１４との接続の際にセンサ１と測定装置２００とが電気的に接続される。
【００２１】
筐体２０２の内部には、上記した受容部２０７の他、測定装置２００の所定の動作（例えば、センサ１に付着させた試料に対する電圧の印加、外部との通信など）に必要な電子部品が搭載された回路基板が収容されている。電子部品は、例えば、ＣＰＵ、ＲＡＭ及びＲＯＭ等である。ＣＰＵはＲＯＭに記憶されたプログラムに従って、操作ボタン２０３を用いた入力を受け付け、入力に応じた所定の動作を行う。例えば、ＣＰＵは、入力に応じて、表示パネル２０４に所定の情報（測定対象成分の測定条件や測定結果など）を表示させる。或いは、ＣＰＵは、センサ１（試料）に対する電圧印加の制御や、電圧印加後に観測される電流（応答電流）に基づく測定対象成分の測定などを行う。
【００２２】
測定システムの使用者は、操作ボタン２０３を用いて測定装置２００を操作する。表示パネル２０４には、測定装置２００の測定結果等が表示される。表示パネル２０４はタッチパネルであってもよい。被測定者は、表示パネル２０４を用いて測定装置２００を操作してもよい。
【００２３】
＜センサ＞
図２は、実施形態に係るセンサ（センサチップ）１の一例を示す平面図である。図３は、実施形態に係るセンサ１の一例を示す断面図であり、図２の一点鎖線Ａ−Ａに沿った断面が示されている。図４は、実施形態に係るセンサ１の一例を示す分解斜視図である。
【００２４】
センサ１は、「分析用具」、或いは「試験片」の一例であり、センサ１は、「試料を付着させるセンサ」に相当する。センサ１は、本体部（センサ部）２及び本体部２と繋がっている保持部（持ち手部）３を有する基板４を備える。図２、図３、図４では、本体部２及び保持部３の並び方向がＹ方向であり、本体部２及び保持部３の並び方向と直交する方向がＸ方向である。本体部２及び保持部３の並び方向は、本体部２の長手方向と一致する。本体部２及び保持部３の並び方向と直交する方向は、本体部２の短手方向（幅方向）と一致する。
【００２５】
本体部２上には、点着部１０、導体層１１及びキャピラリー部材が設けられている。キャピラリー部材は、基板４の本体部２に形成された導体層１１の上に設けられるスペーサ１２及びカバー１３を含む。
【００２６】
本体部２は、試料内の測定対象成分を測定する測定装置と接続可能な接続部１４を有する。点着部１０には、試料を点着可能である。すなわち、試料をセンサ１に付着させることができる。スペーサ１２及びカバー１３は、本体部２の上面の一部を覆っているが、保持部３を覆っていない。また、スペーサ１２及びカバー１３は、導体層１１の一部を覆っている。カバー１３は、スペーサ１２上に設けられている。接続部１４において、スペーサ１２及びカバー１３から導体層１１の一部が露出している。保持部３と点着部１０とが電気的に導通していない。
【００２７】
詳細に説明すると、センサ１は、本体部２及び本体部２と繋がっている保持部３を有する基板４を備える。基板４は帯状の平板状に形成され、一面（上面）と反対側の面（下面）とを有する。上面及び下面は平行な平面である。本体部２の上面には、点着部１０、導体層１１及びキャピラリー部材の一部が設けられている。本体部２の上面は、複数の電極パッドが形成された平面に相当する。
【００２８】
キャピラリー部材は、本実施形態では、スペーサ１２Ａ及び１２Ｂと、カバー１３とを含む。スペーサ１２Ａ及び１２Ｂの夫々は、基板４の幅方向とほぼ同じ幅方向の寸法を有する矩形の部材であり、本体部２に形成された導体層１１の上に、センサ１のＸ方向において間隙が設けられた状態で配置（接着、積層）されている。カバー１３は、スペーサ１２Ａとスペーサ１２Ｂとの間にある間隙を跨ぐようにしてスペーサ１２Ａ、１２Ｂに重ねて配置されており、スペーサ１２Ａ及び１２Ｂを覆っている。
【００２９】
本体部２の、基板４の一端１ａ側の端部は、スペーサ１２Ａ及びカバー１３によって覆われておらず、基板４上に形成された導体層１１が露出した状態となっている。この本体部２の導体層１１が露出した部分は、センサ１の挿入口２０６に挿入され、受容部２０７と嵌合する接続部１４（オス型コネクタ）として使用される。
【００３０】
接続部１４において露出した導体層１１は、受容部２０７内に配置されたコネクタピン（導体部に相当）と接触し、センサ１と測定装置２００とを電気的に接続するために使用される。導体層１１は、所定個数の（複数の）電極と、各電極を対応するコネクタピンに接続する複数のパッドとを含む。電極及び対応するパッドは一体に形成されて、電極とパッドとの間に明確な境界はない。以下、１つの電極及びこの電極に対応する（電極と一体に形成された）パッドとの組み合わせを「電極パッド」と称する。導体層１１は、複数の電極パッドの集合である。
【００３１】
複数の電極のうち、２以上の電極の組み合わせが、試料内の測定対象成分や特性を測定するために使用される。試料は、例えば、生物学的な試料（生体試料ともいう）であるが、生体試料に制限されない。生物学的な試料は、血液、間質液、尿などの液体試料である。試料中の測定対象成分は、グルコース値（血糖値）、ラクテート値（乳酸値）などである。また、試料中の特性は、血液のヘマトクリット値、粘度、塩濃度などである。本実施形態では、センサ１は、グルコース値の測定に使用される電極群と、ヘマトクリット値（Ｈｃｔ値）の測定に使用される電極群とを含む。
【００３２】
図２及び図３に示す例では、スペーサ１２及びカバー１３は、保持部３上には設けられていない。但し、スペーサ１２及びカバー１３は、本体部２の上面の一部を覆うとともに、保持部３の上面の一部又は全体を覆うようにしてもよい。保持部３と導体層１１、点着部１０とは、電気的に導通していない。
【００３３】
本体部２、保持部３、スペーサ１２及びカバー１３は、例えば、熱可塑性樹脂、ポリイミド樹脂、エポキシ樹脂、ガラス、セラミック、紙等の絶縁性基材で形成される。熱可塑性樹脂は、ポリエーテルイミド（ＰＥＩ）、ポリエチレンテレフタレート（ＰＥＴ）及びポリエチレン（ＰＥ）等を含む。本体部２及び保持部３は、単一の基材で構成されてもよいし、同一種類の複数の基材で構成されてもよいし、或いは２種類以上の基材で構成されてもよい。本体部２と保持部３とが同じ基材で構成されてもよい。本体部２と保持部３とが異なる基材で構成されてもよい。
【００３４】
本体部２の上面の法線方向から見て（平面視で）、センサ１は矩形、角の丸い矩形、又は楕円形であってもよい。平面視で、本体部２が矩形であってもよく、保持部３が角の丸
い矩形であってもよい。平面視で、本体部２が角の丸い矩形であってもよく、保持部３が矩形であってもよい。導体層１１は、基板４の本体部２の上面に形成されている。導体層１１は、導電性物質（導体）にて形成されている。導体層１１は、例えば、金（Ａｕ）、銀（Ａｇ）、白金（Ｐｔ）、パラジウム（Ｐｄ）、ルテニウム（Ｒｕ）のような金属材料、或いはカーボンのような炭素材料を用いて形成される。導体層１１をなす電極パッドの夫々は、例えば、金属材料を物理蒸着（ＰＶＤ，例えばスパッタリング）、或いは化学蒸着（ＣＶＤ）による成膜によって、所望の厚さを有する金属層として形成することができる。或いは、電極パッドのそれぞれは、炭素材料または金属粒子を含むインクをスクリーン印刷で基板４上に印刷することで形成することもできる。導体層１１は、ほぼ同じ厚さ（Ｚ方向の寸法）で形成されている。
【００３５】
スペーサ１２Ａ、１２Ｂ及びカバー１３によって、点着部１０が形成されている。スペーサ１２Ａとスペーサ１２Ｂとの間には、本体部２及び保持部３の並び方向と直交する方向に間隙（切り欠き）が形成されている。間隙の部分では、基板４の上面に形成された導体層１１の一部が露出しており、この露出した基板４の上面（導体層１１）、スペーサ１２Ａ、１２Ｂの側面、及びカバー１３の内面にて囲まれた空間が点着部１０をなす。この空間の、センサ１の幅方向（Ｘ方向）の端部の夫々は、開口している。すなわち、上記空間のセンサ１の両側面の端部は開口端となっている。二つの開口の一方に試料を触れさせる（点着する）と、毛管現象によって試料が空間内に引き込まれる。このとき、開口の他方は、空間内に引き込まれた試料によって押しのけられた空気が排出される空気孔として作用する。このように、上記空間は、試料の流路（キャピラリー）１５を構成する。流路１５の開放端は、試料の導入口の一例である。
【００３６】
流路１５内には、試料と反応させる試薬１７を設けることができる。試薬１７は、流路１５内で露出した電極上に配置、設置、載置、固定等することができる。試薬１７は、酵素や基質を含む。言い換えると、塩を含むと言える。試薬１７はメディエータを含む場合もある。酵素は試料の種別や測定対象成分に応じて適宜選択される。測定対象成分が血液や間質液中のグルコースである場合、グルコースオキシダーゼ（ＧＯＤ）やグルコースデヒドロゲナーゼ（ＧＤＨ）が適用される。メディエータは、例えば、フェリシアン化物、ルテニウム錯体、ｐ−ベンゾキノン、ｐ−ベンゾキノン誘導体、フェナジンメトサルフェート、メチレンブルー、フェロセン、フェロセン誘導体等である。これらの中で、フェリシアン化物またはルテニウム錯体が好ましく、フェリシアン化カリウムまたはルテニウム化合物［Ｒｕ（ＮＨ３）６］Ｃｌ３がより好ましい。
【００３７】
＜センサの接続部、測定装置の受容部＞
次に、センサ１の接続部１４、測定装置２００の受容部２０７の詳細について説明する。図５は、センサ１の本体部２を拡大して示す平面図である。図６（Ａ）は、接続部１４を受容部２０７と嵌合させた状態を模式的に示す平面図であり、図６（Ｂ）は、図６（Ａ）の接続部１４及び受容部２０７の左側面（図６（Ａ）の下側）を模式的に示す側面図である。図７は、図６（Ａ）の一点鎖線Ｂ−Ｂに沿った断面を示す。但し、説明の簡単のため、図５、図６（Ａ）、図６（Ｂ）、図７に示す導体層１１の電極パッドの形状は、図２〜図４に示した形状と異なっている。
【００３８】
図５に示す例では、本体部２の上面（平面）に形成された導体層１１は、複数の電極パッドの一例としての、電極パッド１１Ａ、電極パッド１１Ｂ、電極パッド１１Ｃ、電極パッド１１Ｄ、電極パッド１１Ｅ、電極パッド１１Ｆを含む。電極パッド１１Ａ、電極パッド１１Ｂ、電極パッド１１Ｃ、電極パッド１１Ｄ、電極パッド１１Ｅ、電極パッド１１Ｆは、同様の厚みを有し、これらの表面は、本体部２の上面と平行な平面上にある。電極パッド１１Ａ、電極パッド１１Ｂ、電極パッド１１Ｃ、電極パッド１１Ｄ、電極パッド１１Ｅ、電極パッド１１Ｆのうち、スペーサ１２Ａとスペーサ１２Ｂとの間に形成される試料
の流路１５において露出する部分が、電極として使用される。また、電極パッド１１Ａ、電極パッド１１Ｂ、電極パッド１１Ｃ、電極パッド１１Ｄ、電極パッド１１Ｅ、電極パッド１１Ｆのうち、接続部１４において露出する（スペーサ１２Ａによって覆われていない）部分が測定装置２００との電気的接続に使用されるパッドとして使用される。
【００３９】
図１に示したように、測定装置２００の位置を固定し、センサ１の一端１ａを測定装置２００へ向け、段差部２０５の上面２０５ａに沿わせて測定装置２００の奥行き方向（Ｙ方向）へセンサ１を相対的に移動させる。すると、図６（Ａ）、図６（Ｂ）、図７に示すように、センサ１の接続部１４が挿入口２０６を通って受容部２０７と嵌合する。受容部２０７は、測定装置２００の高さ方向（Ｚ方向）に設けられた係止面２０７ａを含み、センサ１の一端１ａが係止面２０７ａに当接する位置（所定位置の一例）までセンサ１の接続部１４が測定装置２００内に挿入され、接続部１４が受容部２０７と嵌合した状態にされる。このような状態がセンサ１の測定装置２００に対する挿入状態（挿入部分が測定装置内に挿入された状態を示す）の一例である。なお、センサ１の一端１ａ側のスペーサ１２Ａやカバー１３の側面が側面２０５ｃ（図１）と当接して、センサ１の挿入深さが規制されるようになっていてもよい。
【００４０】
受容部２０７は、測定装置２００内に配置された複数のコネクタピン２０８Ａ〜２０８Ｆ（複数の導体部に相当）を有している。複数のコネクタピン２０８Ａ〜２０８Ｆを区別しない場合は、コネクタピン２０８と表記する。各コネクタピン２０８は、金属やカーボンなどの導体で形成され、対応する電極パッドの表面と接触することで、対応する電極を測定装置２００と電気的に接続する。換言すれば、「接触する」とは、電極パッドとコネクタピンとが電気的に接続できる状態となることを意味する。
【００４１】
本実施形態において、測定装置２００は、センサ１の測定装置２００への挿入方向に延びた第１のコネクタピン群Ｇ１（第１の導体部群に相当）と、挿入方向と交わる方向に延びた第２のコネクタピン群Ｇ２（第２の導体部群に相当）とを含む。すなわち、複数のコネクタピン２０８の夫々は、第１のコネクタピン群Ｇ１と第２のコネクタピン群Ｇ２とのいずれか一方に属する。センサ１の挿入方向は、接続部１４（挿入部分）が挿入口２０６を通って測定装置２００内に挿入されるときのセンサ１の方向を示す（図１の例ではＹ方向）。複数のコネクタピン２０８のそれぞれは、一端（基端）と他端（先端）とを有し、一端は測定装置２００内で支持され、他端はセンサ１の挿入状態において挿入部分（接続部１４）が有する平面（上面）に形成された複数の電極パッドと接触可能である。
【００４２】
本実施形態では、第１のコネクタピン群Ｇ１は、電極パッド１１Ａ、１１Ｂ、１１Ｃに対応するコネクタピン２０８Ａ、コネクタピン２０８Ｂ、コネクタピン２０８Ｃを含む。コネクタピン２０８Ａは、センサ１の挿入状態において、電極パッド１１Ａの上面と接触する。コネクタピン２０８Ｂは、センサ１の挿入状態において、電極パッド１１Ｂの上面と接触する。コネクタピン２０８Ｃは、センサ１の挿入状態において、電極パッド１１Ｃの上面と接触する。このように、第１のコネクタピン群Ｇ１（第１の導体部群）は、複数の電極パッドのうちの、第１のコネクタピン群Ｇ１に対応する電極パッド１１Ａ、１１Ｂ、１１Ｃと接触する。
【００４３】
第２のコネクタピン群Ｇ２は、電極パッド１１Ｄ、１１Ｅ、１１Ｆに対応するコネクタピン２０８Ｄ、コネクタピン２０８Ｅ、コネクタピン２０８Ｆを含む。コネクタピン２０８Ｄは、センサ１の挿入状態において、電極パッド１１Ｄの上面と接触する。コネクタピン２０８Ｅは、センサ１の挿入状態において、電極パッド１１Ｅの上面と接触する。コネクタピン２０８Ｆは、センサ１の挿入状態において、電極パッド１１Ｆの上面と接触する。このように、第２のコネクタピン群Ｇ２は、複数の電極パッド１１Ａ〜１１Ｆのうち、センサ１の挿入状態において第１のコネクタピン群Ｇ１と接触しない（第１のコネクタピ
ン群Ｇ１以外と接触する）電極パッドと接触する。すなわち、第２のコネクタピン群Ｇ２（第２の導体部群）は、複数の電極パッドのうちの、前記第１のコネクタピン群Ｇ１に対応する電極パッド１１Ａ、１１Ｂ、１１Ｃ以外の電極パッド１１Ｄ、１１Ｅ、１１Ｆと接触する。このように、センサ１の挿入方向（図１ではＹ方向）において、受容部２０７の挿入口２０６側を手前側とし、係止面２０７ａ側を奥側とした場合において、第１のコネクタピン群Ｇ１及びこれに対応する電極パッド１１Ａ、１１Ｂ、１１Ｃは、第２のコネクタピン群Ｇ２及びこれに対応する電極パッド１１Ｄ、１１Ｅ、１１Ｆより挿入方向の奥側に配置されている。換言すれば、第２のコネクタピン群Ｇ２及びこれに対応する電極パッド１１Ｄ、１１Ｅ、１１Ｆは、第１のコネクタピン群Ｇ１及びこれに対応する電極パッド１１Ａ、１１Ｂ、１１Ｃよりも挿入方向の手前側に配置されている。
【００４４】
コネクタピン２０８Ａ、コネクタピン２０８Ｂ、コネクタピン２０８Ｃは、測定装置２００のＸＹ平面において、そのＹ方向（センサ１の挿入方向）に延びている。これに対し、コネクタピン２０８Ｄ、コネクタピン２０８Ｅ、コネクタピン２０８Ｆは、測定装置２００のＸＹ平面において、そのＹ方向に直交するＸ方向（センサの挿入方向と交わる方向の一例）に延びている。仮に、複数のコネクタピン２０８Ａ〜２０８Ｆを幅方向（Ｘ方向）に並べると、センサ１の幅方向のサイズも大きくなる。本実施形態のように、コネクタピン２０８Ｄ、コネクタピン２０８Ｅ、コネクタピン２０８Ｆを、挿入方向の直交方向に延ばすことで、センサ１の幅方向サイズを小さくすることができている。
【００４５】
なお、第２のコネクタピン群Ｇ２に属するコネクタピンが挿入方向と交わる角度は、直角でなくてもよい。また、第２のコネクタピン群Ｇ２に属するコネクタピンの夫々が挿入方向と交わる角度が各々異なっていてもよい。また、第１のコネクタピン群Ｇ１に属する各コネクタピン２０８の方向がセンサ１の挿入方向と交わる角度が第１の範囲（例えば±５〜１０°）とし、第２のコネクタピン群Ｇ２に属する各コネクタピン２０８の方向がセンサ１の挿入方向と交わる角度が第１の範囲よりも大きい角度と定義してもよい。
【００４６】
各コネクタピン２０８は所定の厚みを有する帯状に形成され、その先端部は、Ｖ型又はＵ型に曲げられており、Ｖ型又はＵ型の底の部分が対応するパッドと接触する。これによって、コネクタピン２０８とパッドとの接触によってパッドの表面を傷付けないようにされている。また、各コネクタピン２０８は、夫々弾性を有し、先端部が下方にテンションがかけられた状態となっており、接続部１４の挿入時に、各コネクタピン２０８が対応するパッドの上面（表面）を押さえつけるように構成されている。但し、先端部の形状はオプションであり、コネクタピン２０８は、単なる帯状や短冊状、棒状であってもよい。
【００４７】
複数のコネクタピン２０８の夫々が対応する電極パッドと好適な接触状態を形成できる限りにおいて、各コネクタピン２０８を設ける高さに制限はない。但し、測定装置２００を薄型に形成する（測定装置のサイズを小さくする）観点からは、複数のコネクタピン２０８は、例えば、以下のように設けられる。すなわち、センサ１の挿入状態において、複数のコネクタピン２０８のそれぞれは、接続部１４の上面（平面）の法線方向においてこの上面から最も離れた部分を有する。そして、この上面と上記した最も離れた部分との間の、上記法線方向における距離が所定距離より短くなるように設定される。本実施形態では、複数のコネクタピン２０８の先端部と反対側の部分（基端部：アーム部分ともいう）が本体部２上面から最も離れた部分であり、アーム部分は、導体層１１が形成されたセンサ１の平面（本体部２の上面）に略平行な平面（一点鎖線で示す仮想平面Ｐ１）上に配置されている。換言すれば、センサ１の挿入状態において、測定装置２００の厚み方向（Ｚ方向：挿入状態にあるセンサ１の本体部２上面の法線方向でもある）における、接続部１４（挿入部分）のセンサ１の上面１ｃ（導体層１１が形成された本体部２の一面）と複数のコネクタピン２０８の夫々との距離（高さ）が所定範囲Ｔ内に収まる（Ｔ以下となる）ように、複数のコネクタピン２０８は設けられている。このような、同一平面内において
コネクタピン２０８が延びる方向を変えて高さを規制することで、多くのコネクタピン２０８を設けた場合でも、測定装置２００の厚み方向（Ｚ方向）のサイズが増加することが抑えられている。なお、本実施形態では、センサ１の挿入状態において、導体層１１（複数の電極パッド）の表面は、本体部２の上面と平行な平面上にある。すなわち、センサ１の挿入状態において、接続部１４の上面（平面）の水平方向における複数の導体部（導体層１１）のそれぞれの表面の高さは同じである。そして、複数の電極パッドの表面の法線方向（測定装置２００のＺ方向）における、複数の電極パッドの夫々の表面から複数のコネクタピン２０８の夫々の最も離れた部分（アーム部分）までの距離が複数のコネクタピン２０８の夫々の厚みの１．５倍以内となるように、複数のコネクタピン２０８が設けられている。また、センサ１の挿入状態において、複数のコンタクトパッド２０８のそれぞれは、接続部１４の上面（挿入部分に含まれた平面）と平行な平面上に配置されていてもよい。
【００４８】
本実施形態では、６つの電極パッドに対応する６つのコネクタピン２０８が設けられているが、コネクタピン２０８の数は、電極パッドの数に応じて適宜変更可能である。また、第１及び第２のコネクタピン群Ｇ１及びＧ２に夫々属するコネクタピン２０８の数も、測定装置２００内における部品のレイアウトに応じて適宜変更可能である。
【００４９】
＜測定対象成分等の測定＞
次に、センサ１及び測定装置２００を用いた測定の例について説明する。測定の一例として、センサ１を用いて、血液中のグルコース値及びＨｃｔ値を測定する場合について説明する。血液は試料の一例であり、グルコース値は試料中の測定対象成分の一例であり、Ｈｃｔ値は特性の一例である。
【００５０】
＜＜センサの構成＞＞
本実施形態では、センサ１が有する電極パッド１１Ａ〜１１Ｆ（図５）のうち、電極パッド１１Ｄと電極パッド１１Ａの電極部分（流路１５内で露出した部分）が、グルコース値の測定に用いる電極対（作用極及び対極）として使用される。また、電極パッド１１Ｃと電極パッド１１Ｆの電極部分（流路１５内で露出した部分）が、Ｈｃｔ値の測定に用いる電極対として使用される。電極パッド１１Ｂ及び電極パッド１１Ｅは、他の用途に用いられる。
【００５１】
＜＜測定装置の構成＞＞
図８は、測定装置２００の構成例を示す。測定装置２００は、スイッチ（ＳＷ）２０９と、第１測定部２１１と、第２測定部２１２、制御部２１３と、記憶部２１４と、出力部２１５とを備える。
【００５２】
スイッチ２０９は、上述したコネクタピン２０８Ａ〜２０８Ｆと接続されている。スイッチ２０９は、挿入状態にあるセンサ１の各電極との電気的接続及びその切断状態を切り替えるスイッチである。例えば、制御部２１３は、グルコース値の測定時に、スイッチ２０９を制御して、グルコース値測定用の電極対（電極パッド１１Ａ、１１Ｄ）を測定装置２００と電気的に接続された状態にし、電極パッド１１Ａ、１１Ｄ以外の電極パッドを切断状態にする。第１測定部２１１は、電極パッド１１Ａ、１１Ｄに所定のＤＣ電圧（第１信号）を印加し、第１信号に対する第１電気的応答を測定する。
【００５３】
制御部２１３は、Ｈｃｔ測定時に、スイッチ２０９を制御して、Ｈｃｔ値の測定用の電極対（電極パッド１１Ｂ、１１Ｅ）を測定装置２００と電気的に接続された状態とし、電極パッド１１Ｂ、１１Ｅ以外の電極パッドを切断状態にする。第２測定部２１２は、電極パッド１１Ｂ、１１Ｅ所定のＤＣ電圧（第２信号）を印加し、印加が開始されてから所定時間経過後に（印加がその開始から所定時間継続した時点の）第２電気的応答値の測定を
行う。
【００５４】
記憶部２１４は、ＲＡＭやＲＯＭなどの主記憶装置、ハードディスクなどの補助記憶装置を含む。記憶部２１４は、制御部２１３によって実行されるプログラムや、プログラムの実行に際して使用されるデータなどを記憶する。制御部２１３は、記憶部２１４に記憶されたプログラムを実行するプロセッサ（例えばＣＰＵ）を含む。出力部２１５は、プリンタや表示パネル２０４などの出力装置、信号コネクタや通信インタフェース等の通信機器を含む。
【００５５】
記憶部２１４は、第１測定部２１１にて測定される第１電気的応答値からグルコース濃度を求める検量線データ（検量線テーブル）を記憶している。制御部２１３は、検量線テーブルを用いて第１電気的応答値をグルコース値に換算することで、グルコース値を算出する。グルコース値は、記憶部２１４に記憶したり、出力部２１５から出力（表示等）されたりする。
【００５６】
また、記憶部２１４は、第２測定部２１２にて測定される第２電気的応答値からＨｃｔ値を求める検量線データ（検量線テーブル）を記憶している。制御部２１３は、検量線テーブルを用いて第２電気的応答値をＨｃｔ値に換算することで、Ｈｃｔ値を算出する。Ｈｃｔ値は、記憶部２１４に記憶したり、出力部２１５から出力（表示等）したりすることができる。
【００５７】
また、制御部２１３は、第２測定部２１２から得られる第２電気的応答値、或いは第２電気的応答値から換算したＨｃｔ値を用いてグルコース値を補正する処理を行う。例えば、記憶部２１４は、第２電気応答値と補正量との対応関係を示す検量線データ（検量線テーブル）を記憶している。制御部２１３は、検量線テーブルを用いて第２電気的応答値に対応する補正量を求め、グルコース値を補正する処理を行い、補正されたグルコース値を算出する。補正されたグルコース値は、記憶部２１４に記憶したり、出力部２１５から出力（表示や送信等）したりすることができる。なお、グルコース値の補正に第２電気的応答値を用いる場合、第２電気的応答値からＨｃｔ値へ換算する構成は必ずしも必要ではない。
【００５８】
＜＜動作例＞＞
図９は、測定装置２００の動作例を示すフローチャートである。図９に示すＳ０１では、試料の点着が行われる。すなわち、センサ１（バイオセンサ）の接続部１４を挿入口２０６から挿入して、受容部２０７と嵌合させる。すなわち、センサ１を測定装置２００に物理的に接続させる。次に、被験者から採取された血液（試料）をセンサ１の点着部１０（流路１５の開口端）に接触（点着）させる。すると、毛管力により血液が流路１５内に引き込まれ、流路１５内を満たす。
【００５９】
制御部２１３は、点着前に、所定の電極に対する電圧印加を行い、印加した電圧を観測し、点着によって血液と電極とが接触することによる電圧の変化を検出して、血液が流路１５に導入されたことを検出する。すると、制御部２１３は、Ｈｃｔ値の測定を開始する（Ｓ０２）。
【００６０】
Ｓ０２では、制御部２１３は、スイッチ２０９を制御して、Ｈｃｔ値の測定用の電極対（電極パッド１１Ｂ、１１Ｅ）を測定装置２００と電気的に接続された状態とし、第２測定部２１２を制御して、第２信号を血液に印加する。すなわち、制御部２１３は、第２測定部２１２へ指示を出し、第２信号に相当するＤＣ電圧をＨｃｔ測定用の電極対に印加させる。
【００６１】
第２測定部２１２は、第２信号に相当するＤＣ電圧の印加がその開始から所定時間継続するのを待ち、所定時間継続した時点の血液の第２電気的応答を測定する（Ｓ０３）。例えば、第２測定部２１２は、ＤＣ電圧に対する応答信号を測定し、Ａ／Ｄ変換して制御部２１３へ送る。
【００６２】
制御部２１３は、第２信号に対する血液の第２電気的応答を取得すると、グルコース値の測定を開始する。すなわち、制御部２１３は、血液に対する第１信号の印加を行う（Ｓ０４）。すなわち、制御部２１３は、第１信号として、第２信号より低いＤＣ電圧をグルコース測定用の電極対（電極パッド１１Ａ、１１Ｄ）に印加することを第１測定部２１１に指示する。第１測定部２１１は、指示に従ったＤＣ電圧の印加を行う。
【００６３】
第１測定部２１１は、第１信号に対する血液の第１電気的応答を測定する（Ｓ０５）。例えば、第１測定部２１１は、第１信号として印加されたＤＣ電圧の応答電流を測定する。第１測定部２１１は、応答電流をＡ／Ｄ変換して制御部２１３へ送信する。
【００６４】
制御部２１３は、補正部として動作し、グルコース値の補正処理を行う（Ｓ０６）。すなわち、制御部２１３は、Ｓ０５で取得した第１電気的応答（応答電流）の値と、検量線データ（検量線テーブル）とを用いて、血液に含まれる補正対象成分の値（グルコース値）を算出する。また、制御部２１３は、算出したグルコース値を、Ｓ０３で取得した第２電気的応答値（又は第２電気的応答値に対応するＨｃｔ値）を用いて補正する。
【００６５】
制御部２１３は、補正したグルコース値を出力する（Ｓ０７）。すなわち、制御部２１３は、Ｓ０６で補正したグルコース値を、記憶部２１４に記憶し、出力部２１５（ディスプレイ）に表示する。制御部２１３は、出力部２１５を用い、有線又は無線ネットワークを介して他の装置へグルコース値を送信することもできる。
【００６６】
＜実施形態の効果＞
実施形態１に係る測定装置２００によれば、センサ１が有する複数の電極パッドと接続される複数のコネクタピン２０８として、第１のコネクタピン群Ｇ１に属するコネクタピンと第２のコネクタピン群Ｇ２に属するコネクタピンとを有する。このため、センサ１の幅方向サイズが大きくなるのを回避できるとともに、測定装置２００の高さ方向（厚み）のサイズが大きくなるのを回避できる。よって、センサ１及び測定装置２００を小型化することができ、保管や携帯などの管理を容易にすることができる。
【００６７】
＜変形例１＞
図１では、ガイドとしての段差部２０５を測定装置２００が有する例を示した。但し、ガイドは、筐体２０２の側面に設けられた、センサ１の幅方向のサイズと同等の深さを有する溝であってもよい。図１０は、測定装置２００の変形例を示す。図１０において、変形例に係る測定装置２００Ａは、挿入口２０６の手前側に、測定装置の幅方向（Ｘ方向）に凹んだ溝２１６が形成されている。溝２１６の深さ（Ｘ方向における深さ）は、センサ１の幅方向の寸法よりやや大きく形成され、センサ１の下面１ｄと対向させる上面２１６ａと、センサ１の上面１ｃと対向させる下面２１６ｂとを有する。センサ１を測定装置２００Ａに接続する際には、センサ１の左側面を溝２１６の底面２１６ｃと当接させるようにしてＹ方向にスライドさせることで、容易にセンサ１の一端１ａを挿入口２０６に案内することができる。なお、溝２１６の下面２１６ｂが設けられていない部分は手前側の端面２０２ｄと同一面である必要はなく、端面２０２ｄより奥側に形成されていてもよい。
【００６８】
＜変形例２＞
また、測定装置は、図１１に示すような構成を有していてもよい。図１１は、測定装置の変形例２を示す。図１１に示す測定装置２００Ｂは、筐体２０２の長手方向の端部から
側方に突出した突出部２１７を備えている。突出部２１７の側面にセンサ１の挿入口２０６が設けられており、測定装置２００Ｂの使用者は、センサ１の保持部３（後述）を保持した状態で、本体部２の先端を挿入口２０６に挿入する。本体部２の先端が挿入口２０６に挿入された場合、突出部２１７、挿入口２０６、本体部２及び保持部３が、一直線上に並んで配置される。また、本体部２の先端が挿入口２０６に挿入された場合、突出部２１７、挿入口２０６、本体部２及び保持部３の並び方向と直交する方向に、本体部２及び筐体２０２が隣接して配置される。したがって、本体部２の先端が挿入口２０６に挿入された状態で、本体部２の側面側から点着部１０に試料を点着する場合、突出部２１７、挿入口２０６、本体部２及び保持部３の並び方向と直交する方向から本体部２に向かって試料を近づける。この場合、被測定者の手や指が筐体２０２や突出部２１７に接触しないため、本体部２の側面側から点着部１０に試料を点着し易い。
【００６９】
突出部２１７は、突出部２１７、挿入口２０６、本体部２及び保持部３の並び方向と直交する方向に向かって突出している。本体部２の側面側から点着部１０に試料を点着し易いようにするため、突出部２１７、挿入口２０６、本体部２及び保持部３の並び方向と直交する方向における突出部２１７の長さは、本体部２及び保持部３の並び方向と直交する方向におけるセンサ１の長さ（Ｗ１）よりも若干大きいことが好ましい。突出部２１７、挿入口２０６、本体部２及び保持部３の並び方向と直交する方向における突出部２１７の長さは、例えば、本体部２及び保持部３の並び方向と直交する方向におけるセンサ１の長さ（Ｗ１）の１倍以上２倍以下であってもよい。
【００７０】
〔実施形態２〕
実施形態２に係る測定システムについて説明する。実施形態２は、実施形態１と共通の構成を有するので、主として相違点について説明し、共通点については説明を省略する。実施形態２に係る測定装置として、実施形態１で説明した測定装置２００、２００Ａ、２００Ｂを適用できる。但し、センサ１の仕様に係る構成及び処理が追加されている点で、実施形態１と異なる。
【００７１】
図１２（Ａ）及び図１２（Ｂ）は、実施形態２に係るセンサ及び測定装置の構成例を示す。図１３は、センサの仕様判定に係る処理例を示すフローチャートである。実施形態２に係る測定装置２００は、図１２（Ａ）に示すように、第２のコネクタピン群Ｇ２に属するコネクタピン２０８Ｇをさらに含む。一方、センサとして、実施形態１で説明したセンサ１と、センサ１と仕様の異なるセンサ１Ａとが用意される。
【００７２】
例えば、センサ１とセンサ１Ａとは共通の構成を有するが、仕向地（流通させる地域）が異なる。例えば、センサ１はアジア向けであり、センサ１Ａは欧州向けである。欧州ではアジア向けのセンサ１はできず、その逆も成立すると仮定する。
【００７３】
図１２（Ｂ）に示すように、センサ１Ａでは、センサ１において１つの電極パッドであった電極パッド１１Ｂが、絶縁された二つの電極パッド１１Ｂ１及び電極パッド１１Ｂ２に分割された状態となっている。
【００７４】
コネクタピン２０８Ｇは、センサ１の挿入状態において、図１２（Ａ）に示すように、電極パッド１１Ｂに接触する。これに対し、コネクタピン２０８Ｇは、センサ１Ａの挿入状態において、図１２（Ｂ）に示すように、電極パッド１１Ｂ２に接触する。コネクタピン２０８Ｂは、電極パッド１１Ｂ１に接触する。
【００７５】
図１３に示す処理は、例えば、測定装置２００にセンサ（センサ１とセンサ１Ａとのいずれか）が挿入されたことを契機に開始する。制御部２１３は、所定のコネクタピン、本実施形態ではコネクタピン２０８Ｂとコネクタピン２０８Ｇとの間に電圧を印加し（Ｓ１
１）、電流の変化が現れるかを判定する（Ｓ１２）。
【００７６】
挿入されたセンサがセンサ１である場合、コネクタピン２０８Ｂとコネクタピン２０８Ｇとは電極パッド１１Ｂを介する閉回路を構成するので、電圧印加による電流値の変化が検出される。この場合、処理がＳ１３に進む。これに対し、挿入されたセンサがセンサ１Ａである場合、コネクタピン２０８Ｂとコネクタピン２０８Ｇとの間は開放されているので、電流の変化は起きない。この場合、処理がＳ１５に進む。
【００７７】
Ｓ１３に処理が進んだ場合には、制御部２１３は、挿入されたセンサが適合する（仕様が正常）と判定して、通常の処理（図９を用いて説明した処理）を行う状態となる（Ｓ１４）。これに対し、Ｓ１５に処理が進んだ場合には、制御部２１３は、挿入されたセンサが非適合（仕様が正常でない）と判定し、所定のエラー処理を行う（Ｓ１６）。例えば、制御部２１３は、測定装置２００の動作を停止し、センサが使用できない旨を出力部２１５に含まれる表示パネル２０４に表示させる。なお、電流変化の検出／非検出と、適合か非適合かとの組み合わせは逆でもよい。
【００７８】
以上の点を除き、実施形態２の構成は、実施形態１と同様である。実施形態２によれば、制御部２１３は、電流の変化を検知することで、判定部として動作する。すなわち、制御部２１３は、判定部として、第１のコネクタピン群Ｇ１中のコネクタピン２０８Ｂ（第１の導体部に相当）と、第２のコネクタピン群Ｇ２中のコネクタピン２０８Ｇ（第２の導体部に相当）とが、複数の電極パッドのうちの同一の電極パッドと接触しているか、異なる二つの電極パッドと接触しているかを判定する。
【００７９】
このため、実施形態２に係る測定装置２００によれば、仕向地などの仕様違いを検出する構成をセンサが持つ場合に、仕様判定用のコネクタピン２０８Ｇを、第２のコネクタピン群Ｇ２に属するコネクタピンとして構成する。実施形態２によれば、センサの仕様を判定する機構を備える測定装置及びセンサのサイズ増大を抑えることができる。
【００８０】
但し、上記した電圧印加（仕向地判定）に用いるコネクタピンの双方が、第２のコネクタピン群Ｇ２に属するコネクタピンであってもよい。図１４は、実施形態２の変形例を示す。図１４において、センサ１Ｂでは、電極パッド１１Ｄが、絶縁された二つの電極パッド１１Ｄ１及び電極パッド１１Ｄ２に分割された状態となっている。センサ１Ｂの測定装置への挿入状態において、電極パッド１１Ｄ１は、第２のコネクタピン群Ｇ２に属するコネクタピン２０８Ｄと接触し、電極パッド１１Ｄ２は、第２のコネクタピン群Ｇ２に属するコネクタピン２０８Ｇと接触する。この場合、図１３に示した処理は、コネクタピン２０８Ｄとコネクタピン２０８Ｇとの二つについて行われる。このように、制御部２１３が、第２のコネクタピン群Ｇ２に属する二つのコネクタピン２０８Ｂ、２０８Ｇを用いて、これらのコネクタピン２０８Ｂ、２０８Ｇが、複数の電極パッドのうちの同一の電極パッド１１Ｄと接触しているか、異なる二つの電極パッド１１Ｄ１，１１Ｄ２と接触しているかを判定する判定部として動作するように構成されてもよい。
【００８１】
〔実施形態３〕
実施形態３に係る測定システムについて説明する。実施形態３は、実施形態１と共通の構成を有するので、主として相違点について説明し、共通点については説明を省略する。実施形態３に係る測定装置として、実施形態１で説明した測定装置２００、２００Ａ、２００Ｂを適用できる。但し、第２のコネクタピン群Ｇ２に属するコネクタピンの構成が実施形態１と異なる。
【００８２】
実施形態１では、第２のコネクタピン群Ｇ２に属するコネクタピン２０８Ｄ、２０８Ｅ、２０８Ｆのそれぞれは、受容部２０７内において、センサ１の挿入時に複数の電極パッ
ド（電極パッド１１Ａ〜１１Ｆ）とこすれ合うように配置されている。ここで、こすれ合うとは、物と物とが触れあって摩擦しながら動くことを意味する。そして、センサ１の一端１ａが係止面２０７ａに当接する位置（所定位置）に達した場合に、コネクタピン２０８Ｄ、２０８Ｅ、２０８Ｆのそれぞれが、これらに対応する電極パッド１１Ｄ、１１Ｅ、１１Ｆと接触し、電気的に接続される（図６（Ａ））。
【００８３】
実施形態１では、コネクタピン２０８Ｄ、２０８Ｅ、２０８Ｆのそれぞれの先端部がセンサ１の挿入方向に直交する方向（Ｘ方向）を向いていた。図１５は、実施形態３における、接続部１４を受容部２０７と嵌合させた状態を模式的に示す平面図である。実施形態３では、第２のコネクタピン群Ｇ２に属するコネクタピンとして、コネクタピン２０８Ｄ、２０８Ｅ、２０８Ｆ（図６（Ａ））の代わりのコネクタピン２１８Ｄ、２１８Ｅ、２１８Ｆを備えている。
【００８４】
コネクタピン２１８Ｄ、２１８Ｅ、２１８Ｆの先端部２１８Ｄａ、２１８Ｅａ、２１８Ｆａは、アームが延びる方向（Ｘ方向）に対してほぼ９０°折れ曲がり、挿入方向（Ｙ方向）に向けられている。換言すれば、コネクタピン２１８Ｄ、２１８Ｅ、２１８Ｆの先端部２１８Ｄａ、２１８Ｅａ、２１８Ｆａは、第１のコネクタピンＧ１に属するコネクタピン２０８Ａ、２０８Ｂ、２０８Ｃの先端部が向く方向（センサ１を測定装置から離脱させる方向（離脱方向又は排出方向と称する））と逆方向に向いている。コネクタピン２１８Ｄ、２１８Ｅ、２１８Ｆの構成を除いて、実施形態３の構成は、実施形態１の構成と同じであるため、説明を省略する。
【００８５】
実施形態３によると、コネクタピン２１８Ｄ、２１８Ｅ、２１８Ｆの先端部２１８Ｄａ、２１８Ｅａ、２１８Ｆａが、挿入方向と同じ方向（順方向）に向けられている。この構成により、実施形態１との比較において、第２のコネクタピン群Ｇ２が電極パッド１１Ａ〜１１Ｆとこすれ合うときの摩擦力を低減することができる。従って、実施形態３によれば、センサ１の挿入時に生じる摩擦によって、第２のコネクタピン群Ｇ２（コネクタピン２１８Ｄ、２１８Ｅ、２１８Ｆ：第２の導体部の一例）と電極パッド１１Ａ〜１１Ｆとの少なくとも一方が傷付くのを抑えることができる。また、センサ１の排出時においても、センサ１が挿入方向と逆方向の排出方向に移動する場合に、第２のコネクタピン群Ｇ２と電極パッド１１Ａ〜１１Ｆとがこすれ合ってお互いを傷付ける可能性を低減できる。また、摩擦力が低減されるため、センサ１の排出を容易に行うことができる。なお、先端部２１８Ｄａ、２１８Ｅａ、２１８Ｆａの一部又は全部（少なくとも一つ）が、排出方向（挿入方向の逆方向）に向けられていてもよい。なお、実施形態２における仕様判定用のコネクタピン２０８Ｇの先端部が、コネクタピン２１８Ｄなどと同様に、挿入方向又は排出方向を向くように曲げられていてもよい。
【００８６】
〔実施形態４〕
実施形態４に係る測定システムについて説明する。実施形態４は、実施形態１と共通の構成を有するので、主として相違点について説明し、共通点については説明を省略する。実施形態４に係る測定装置として、実施形態１で説明した測定装置２００、２００Ａ、２００Ｂを適用できる。但し、第２のコネクタピン群Ｇ２に属するコネクタピンの構成が実施形態１と異なる。
【００８７】
実施形態１では、第２のコネクタピン群Ｇ２に属するコネクタピン２０８Ｄ、２０８Ｅ、２０８Ｆのそれぞれのアーム部分は、測定装置２００のＹ方向、すなわち、測定装置を水平配置した場合における、水平方向に延びていた（図７）。実施形態４では、複数の導体部（コネクタピン２０８）の一部又は全部が、その基端部（アーム部分）と先端部との間において、センサ１の挿入方向（Ｙ方向）と交わるように下る構成を有する。
【００８８】
図１６は、実施形態４における、図６（Ａ）の一点鎖線Ｂ−Ｂに沿った断面を示す。実施形態４に係るコネクタピン２０８Ｄでは、そのアーム部分２０８Ｄａから先端部２０８Ｄｂへかけてなだらかに下る（例えば、ＸＹ平面と６０°以下で交差するように下る）中間部２０８Ｄｃを有する。同様に、コネクタピン２０８Ｅも、そのアーム部分２０８Ｅａから先端部２０８Ｅｂへかけてなだらかに下るように延びた中間部２０８Ｅｃを有している。先端部２０８Ｄｂ、２０８Ｅｂの高さは、アーム部分２０８Ｄａ、２０８Ｅａよりも低い位置にある。なお、コネクタピン２０８Ｆの図示は省略されているが、コネクタピン２０８Ｄ、２０８Ｅと同様の構成を有する。また、第１のコネクタピン群Ｇ１に属するコネクタピン２０８も、同様の構成を採ることができる。
【００８９】
実施形態４によれば、コネクタピン２０８が、実施形態１に比べて長い中間部を有する。これにより、コネクタピン２０８に柔軟性（バネ性）を持たせることができるため、センサ１の挿入時や排出時にコネクタピン２０８を撓ませて、電極パッド１１Ａ〜１１Ｆとコネクタピン２０８とがこすれてお互いが傷つくのを抑えることができる。なお、コネクタピン２０８Ｄがなだらかに下る角度は、小さいほど（つまり、０°に近づくほど）、お互いが傷つくのを抑えることができるが、空間が必要であるため、センサのサイズを抑えることが難しくなる。逆に、角度が大きいほど（つまり、６０°に近づくほど）、少ない空間でも構成を採ることができるが、お互いが傷つきやすくなる。そのため、センサのサイズに応じた角度を採ることが好ましい。例えば、３０°〜６０°の範囲が好ましい。以上説明した実施形態１から４の構成は、適宜組み合わせることができる。
【符号の説明】
【００９０】
１・・センサ
２・・本体部
３・・保持部
１０・・点着部
１１・・導体層
１２Ａ、１２Ｂ・・スペーサ
１３・・カバー
１４・・接続部
１５・・流路
２００、２００Ａ・・・測定装置
２０２・・筐体
２０３・・操作ボタン
２０４・・表示パネル
２０６・・挿入口
２０７・・受容部
２０８・・コネクタピン
２０９・・スイッチ
２１１・・第１測定部
２１２・・第２測定部
２１３・・制御部
２１４・・記憶部
２１５・・出力部
【図１】
2019215343.tif 000003
【図２】
2019215343.tif 000004
【図３】
2019215343.tif 000005
【図４】
2019215343.tif 000006
【図５】
2019215343.tif 000007
【図６】
2019215343.tif 000008
【図７】
2019215343.tif 000009
【図８】
2019215343.tif 000010
【図９】
2019215343.tif 000011
【図１０】
2019215343.tif 000012
【図１１】
2019215343.tif 000013
【図１２】
2019215343.tif 000014
【図１３】
2019215343.tif 000015
【図１４】
2019215343.tif 000016
【図１５】
2019215343.tif 000017
【図１６】
2019215343.tif 000018